(57)【要約】【課題】携帯電話のウェブサイトを、パソコン操作ができるレベルであれば、誰でもが簡単に構築できるようにするとともに、構築されたウェブサイトがＮＴＴドコモ、ａｕ、ソフトバンクなどのキャリアを問わずに利用することができ、またサイト閲覧者の携帯電話メールアドレスを簡単に登録できるようにする。【解決手段】ウェブサーバーに、パソコンから携帯電話ウェブサイトの構築データを入力するプログラムと、入力されたデータを、ＮＴＴドコモ、ａｕ、ソフトバンクなどのキャリアに共通するＨＴＭＬ言語に自動変換し、ウェブサイトとして自動的に立ち上げるプログラムを搭載し、インターネットを通じて提供する。【選択図】図１
2008257416.tif 000002
【特許請求の範囲】
【請求項１】
携帯電話のウェブサイトを自動的に構築するシステムであって、サイト画面
の編集機能に加えて、トップページに掲載するメニュー項目名の編集機能と、その表示順
位の制御機能及び表示／非表示の切り替え機能とを備えるとともに、ウェブサイトの閲覧
画面から、閲覧者の情報をウェブサーバーのデータベースに自動的に登録する機能を構築
できることを特徴とする携帯電話ウェブサイトの自動構築システム。
【請求項２】
上記ウェブサイトの構築は、インターネットに接続されたパソコン上で、シ
ステムが指示するテンプレートに従って入力項目の選択を行い、前記パソコンのキーボー
ドから必要データを入力する操作のみで行えることを特徴とする請求項１に記載の携帯電
話ウェブサイトの自動構築システム。
【請求項３】
上記の閲覧者情報を上記ウェブサーバーのデータベースに自動的に登録する
手段は、アクセスした上記ウェブサイトの画面の指示に従って、上記携帯電話の電子メー
ル機能を利用し、空電子メールを送信するのみで、閲覧者携帯電話のメールアドレスが、
前記ウェブサーバーのデータベースに自動的に登録されることを特徴とする請求項１及び
請求項２に記載の携帯電話ウェブサイトの自動構築システム。
【請求項４】
上記の空電子メールを閲覧者が画面の指示に従って送信すると、ハイパーリ
ンクが設定された情報登録用ＵＲＬを含む電子メールが前記ウェブサーバーから自動的に
返信され、このＵＲＬにアクセスすることにより閲覧者の住所、氏名、性別、年齢、電話
番号を登録できることを特徴とする請求項３に記載の携帯電話ウェブサイトの自動構築シ
ステム。
【請求項５】
上記携帯電話ウェブサイトの構築システムは、全て上記ウェブサーバー上で
管理されており、利用者は前記ウェブサーバーに利用登録を行い、アカウントを取得する
ことによって、前記携帯電話ウェブサイト自動構築システムが利用できるようになる、請
求項１から請求項４に記載の携帯電話ウェブサイトの自動構築システムの提供方法。
【発明の詳細な説明】
【技術分野】
【０００１】
本発明は、インターネットを利用して、携帯電話のウェブサイトを自動的に構築するシス
テムに関する。
【背景技術】
【０００２】
携帯電話のインターネット通信規格であるｉモード（「iモード」は、株式会社ＮＴＴドコ
モの登録商標）などの普及に伴い、従来、パソコンが主な対象であったインターネットウ
ェブサイトによる情報発信を、携帯電話を対象として行うことが広まりつつある。携帯電
話はパソコンに比べて普及率も高く、また、いつでも何処でも利用できる利便性があるた
め、今後のモバイル情報端末の主流となり得ることが確実視されており、携帯電話ウェブ
サイトの需要は、益々高まるものと考えられている。
【０００３】
しかしながら、携帯電話ウェブサイトの構築技術は、既に普及しているパソコンウェブサ
イトの構築に比べて、技術的な難易度が高く、かつ制限事項も多くあり、また、ＮＴＴド
コモやａｕ、ソフトバンク（ａｕ、ソフトバンクは携帯電話の会社名）などの各キャリア
において、微妙に規格が異なるため、現状では誰でもが簡単に携帯電話ウェブサイトを構
築できるものではなく、専門的な知識が必要となっている。
【０００４】
パソコンウェブサイトに関しては、簡単な構築ツールが多く普及しており利用されている
が、携帯電話ウェブサイトに関してはその数も少なく、かつ、そのほとんどは特定キャリ
ア用のウェブサイト構築ツールであり、ＮＴＴドコモやａｕ、ソフトバンクなどの全ての
キャリアに対応できるものではない。
【特許文献１】特開２００３−１２２９０７
【発明の開示】
【発明が解決しようとする課題】
【０００５】
技術的に難易度の高い携帯電話のウェブサイトの構築を、パソコンの操作ができるレベル
であれば、誰でもが簡単に行うことができるシステムを提供し、かつ、このシステムで構
築された携帯電話ウェブサイトは、ＮＴＴドコモ、ａｕ、ソフトバンクなどのキャリアの
違いを問わずに利用できるものとすることにより、情報発信サイトとしての飛躍的な普及
が実現できる。
【０００６】
また、前記のウェブサイトを商用目的などで利用する場合、顧客への電子メール発信が有
効な情報提供手段となるので、顧客の携帯電話の電子メールアドレスの収集と登録機能が
重要となる。この場合、携帯電話はパソコンに比べて、文字入力の場合の操作性が劣るの
で、顧客情報の登録機能を含めた申込フォームにおいて、申し込みを行おうとする閲覧者
が申込フォームに記入してくれる事項は住所、氏名、年齢、電話番号程度であり、最も重
要な項目である電子メールアドレスは入力が面倒なため、申込フォームに記入してもらえ
ることは稀であり、また入力ミスも多い。従って、申込者に手間を掛けずに、正確な電子
メールアドレスを取得する手段が重要となる。
【０００７】
インターネットは一方的な情報発信のみではなく、双方向の通信が可能なものであり、例
えば携帯電話のウェブサイトを商用に利用する場合、店側からの情報発信に加えて、顧客
側からの意見・要望の収集とそれに対する回答を行うことによって、コミュニケーション
が強化できる。従って携帯電話のウェブサイトから、顧客側から店側への情報発信を簡単
な操作で行える機能を付加することで、サイトの評判が高まり、顧客の増加が実現できる。
【課題を解決するための手段】
【０００８】
本発明は、前記の課題に鑑みてなされたもので、まず、技術的に難易度の高い携帯電話の
ウェブサイトを、パソコンの画面指示に従ってキーボードから文字情報を入力する操作の
みで構築できるシステムを提供するものである。そのため、ウェブサーバーにパソコンの
画面を制御するプログラムと、入力された文字データを、ＮＴＴドコモ、ａｕ、ソフトバ
ンクなどのキャリアに共通するＨＴＭＬ言語に自動変換し、ウェブサイトとして自動的に
立ち上げるプログラムを搭載する。
【０００９】
上記のプログラムは、トップ画面の編集機能に加えて、商用サイトなどに必要な以下のメ
ニュー編集機能を備えるものとする。第一は、商店などのウェブサイト運用者のプロフィ
ールや住所及び電話、ＦＡＸなどの連絡先紹介画面、次に、新着情報の紹介画面で、これ
には画像貼付機能も備える。この他に、サイト閲覧者側からの情報発信機能として、問い
あわせメール機能、匿名での意見・要望募集機能も加える。さらに、閲覧者の電子メール
アドレスを取得する手段として、メール受信登録機能も付加し、メニュー自体の項目名編
集及びサイト上への表示順序、さらにメニューの表示／非表示切り替え機能をも備えて、
自由度の高い、携帯電話ウェブサイトの画面編集が行えるプログラムとする。
【００１０】
また、上記プログラムに含まれる、サイト閲覧者の電子メールアドレス登録機能は、先ず
空電子メール送信により、閲覧者の携帯電話の電子メールアドレスを取得し、ウェブサー
バーのデータベース上に自動的に登録すると共に、同時に閲覧者にハイパーリンクが設定
された会員登録フォームのＵＲＬを含む電子メールを自動返信する。閲覧者が、このフォ
ーム上で、住所や氏名、年齢、電話番号を入力すると、これらの情報は、先に登録された
電子メールアドレスと関連付けてデータベースに登録される。また、仮に閲覧者が登録操
作を行わなかった場合においても、電子メールアドレスのみは既にデータベースへの登録
が完了しており電子メールの発信を行うことができる。
【発明の効果】
【００１１】
本発明によれば、従来、技術的に難易度が高く、高度な知識を持った専門家でなければ構
築が難しかった携帯電話のウェブサイトを、パソコンを操作できるレベルの知識を持って
いれば、誰でもが簡単に構築できるようになる。
【００１２】
上記で構築される携帯電話のウェブサイトは、一般的な情報発信機能のみでなく、サイト
閲覧者からの情報受信機能並びに、サイト閲覧者の電子メールアドレス自動登録機能など
の豊富なメニューを有したものであり、さらに自由度の高いレイアウトが設計できるため
ウェブサイトの運用者毎に、特色のあるサイトが構築できるメリットを有する。
【発明を実施するための最良の形態】
【００１３】
本発明における一実施形態について、図面を参照して説明する。図１は、本実施形態の構
成を示すブロック図である。この図において、符号１は携帯電話ウェブサイトを構築する
ためのデータを入力するパソコンであり、符号２のインターネットに接続されている。符
号３は同インターネット２に接続されているサーバーである。同サーバー３には、符号４
のウェブサイト構築用データ入力プログラムが搭載されており、携帯電話ウェブサイトを
構築しようとする利用者は、先ず、このプログラム４にアクセスし、プログラム４の指示
に従ってサイト構築用のデータを入力する。入力が完了すると、符号５のＨＴＭＬ自動変
換プログラムが入力データを読み取り、ウェブサイトを構築するためのＮＴＴドコモ、ａ
ｕ、ソフトバンクなどのキャリアに共通するＨＴＭＬ言語に自動変換し、符号６に示す携
帯電話用ウェブサイトを自動的に構築し立ち上げる。符号７は会員情報登録用のデータベ
ースであり、符号８の携帯電話から上記ウェブサイト６にアクセスし、登録操作を行った
閲覧者の情報を格納するものである。
【実施例１】
【００１４】
図２は本発明における、携帯電話ウェブサイト構築用データ入力プログラムの画面構成の
一例を示すものであり、基本メニューのボタンをマウスでクリックすることにより、１機
能１ページのウィザード形式により、ガイダンス付きの入力画面が表示され、簡単にデー
タ入力ができるように考慮したものである。
【実施例２】
【００１５】
図３は本発明を利用して構築された、携帯電話ウェブサイトの画面構成の一例を示すもの
であり、トップ画面から様々なメニュー機能が利用できるものである。このサイトにおけ
るメニュー項目名や表示内容などの全ては、図２の携帯電話ウェブサイト構築用データ入
力プログラムにより、自由に編集できることはもちろんである。
【産業上の利用可能性】
【００１６】
一般商用サイトとしての情報受発信に加えて、例えば学校や塾などの学級通信サイト、ス
ポーツやアーチストのファンクラブサイト、会員への情報発信が重要視される各種の団体
サイトとして、幅広い利用が可能である。
【図面の簡単な説明】
【００１７】
【図１】本発明における実施形態の一例を示すブロック図。
【図２】同実施形態におけるサーバープログラムの一例を示す図。
【図３】同実施形態における携帯電話ウェブサイトの画面構成の一例を示す図である。
【符号の説明】
【００１８】
１  パソコン
２  インターネット
３  サーバー
４  ウェブサイト構築用データ入力プログラム
５  ＨＴＭＬ自動変換プログラム
６  携帯電話用ウェブサイト
７  会員情報登録用データベース
８  携帯電話
【図１】
2008257416.tif 000003
【図２】
2008257416.tif 000004
【図３】
2008257416.tif 000005